(57)【特許請求の範囲】
【請求項１】
基礎と、
該基礎の上に固定された土台と、
該土台の内側の側面に固定された、内側の下部側壁板と、
前記土台の外側の側面に固定された、外側の下部側壁板と、
その上部が各下部側壁板の上端面から突出した状態で、各下部側壁板の上部を連結する連結材と、
その下部が前記連結材の上部の内側の側面に固定された状態で、内側の下部側壁板の上側に配された、内側の上部側壁板と、
その下部が前記連結材の上部の外側の側面に固定された状態で、外側の下部側壁板の上側に配された、外側の上部側壁板と
を有する建物の側壁構造。
【発明の詳細な説明】
【０００１】
【発明の属する技術分野】
本発明は建物の側壁構造に関する。
【０００２】
【従来の技術】
従来、この種の建物の側壁構造として以下の如きものは知られている。即ち、基礎と、この基礎の上に固定された外壁骨格体（土台、柱、胴差し、桁等を有するもの）と、この外壁骨格体の内外側に固定された側壁板（高さが１．８ｍ〜２．４ｍ前後の高さを有するもの）とを有するものは知られている。
【０００３】
【従来技術の欠点】
前記従来の建物の側壁構造には以下の如き欠点があった。即ち、高さが１．８ｍ〜２．４ｍ前後の高さの側壁板を土台を含む外壁骨格体に固定するものであったため、側壁板を外壁骨格体に固定してしまうと、側壁板が障害となって基礎を横切って作業員が移動することが出来なくなり、その結果、基礎を跨いで行なう工事（例えば、配管工事）の作業性が悪くなるという欠点があった。勿論、側壁板を外壁骨格体に固定する前に、基礎を跨いで行なう工事を行なえばよいことではあるが、側壁板を貫通して管（ガス管・水道管）を通す場合等のように側壁板を外壁骨格体に固定した後でなければ、側壁板を貫通して管（ガス管・水道管）を通す工事を納まり良く行なうことが出来ない場合、側壁板を外壁骨格体に固定した後において基礎を跨いで行なう工事を行なわざるを得ず、その結果、前記した欠点を甘受しなければならなかった。
【０００４】
【課題を解消するための手段】
本発明は前記欠点を解消するために以下の如き手段を採用した。
請求項１の発明は、基礎と、該基礎の上に固定された土台と、該土台の内側の側面に固定された、内側の下部側壁板と、前記土台の外側の側面に固定された、外側の下部側壁板と、その上部が各下部側壁板の上端面から突出した状態で、各下部側壁板の上部を連結する連結材と、その下部が前記連結材の上部の内側の側面に固定された状態で、内側の下部側壁板の上側に配された、内側の上部側壁板と、その下部が前記連結材の上部の外側の側面に固定された状態で、外側の下部側壁板の上側に配された、外側の上部側壁板とを有するものである。
【０００５】
【発明の作用】
請求項１の発明は以下の如き作用をなすものである。
上部側壁板を固定する前に基礎を跨いで行なう工事（例えば、配管工事）を行なうことが出来、その結果、基礎を跨いで行なう工事を楽に且つ効率よく行なうことが出来る。他方、下部側壁板が土台に固定されると共に下部側壁板と上部側壁板とが連結材に固定されていて一枚板状となされているので、建物の側壁強度を高めることが出来る。
【０００６】
【発明の実施の形態】
以下に本発明の実施の形態を図面を参照しつつ説明する。
なお、この説明において、外とは図１左側を、内とは同図右側をいい、左とは図１紙面裏側を、右とは同表側をいう。
【０００７】
建物１の側壁２は、左右方向に長い基礎４と、この基礎４の上にパッキン５を介して公知の固定手段によって固定された左右方向に長い土台６と、この土台６の内外側面に固定された高さの低い左右方向に長い内外側の下部側壁板７と、これら下部側壁板７の上部に、これら上端より突出するかたちで且つ人が跨ぐことが出来る状態で固定された左右方向に長い連結材８と、この連結材８の上部の内外側面に下端部が下部側壁板７に突き合わせ状態で又は６ｍｍ〜１０ｍｍ程度の間隙をあけた状態で固定された内外側の上部側壁板９とを有している。
【０００８】
高さの低い下部側壁板７とは、下部側壁板７を土台６に固定し、下部側壁板７に連結材８を固定した状態で、連結材８を人が跨ぐことが出来る高さとなる高さの下部側壁板７をいう。
土台６への下部側壁板７の取り付け手段、連結材８への下部側壁板７や上部側壁板９の取り付け手段は、釘・ねじ等任意である。
前記上部側壁板９の上端部は、公知のごとく、土台６の上方に設けられた桁（図示略）又は胴差し（図示略）に固定され、上部側壁板９の左右部は、公知のごとく、柱（図示略）（間柱を含む。以下同様。）に固定されている。
連結材８は、土台６に立設・固定された相互に隣接する柱に、人が跨ぐことが出来る状態で固定される。
【０００９】
前記内側の下部側壁板７には、公知のごとく、平面形状Ｌ字状の連結具１１によって複数の大引き１２が固定され、これら大引き１２に複数の根太１３が固定され、これら根太１３に床下地材１４が固定され、この床下地材１４に化粧床板（図示略）が固定されている。
なお、大引き１２を土台６に固定した後、内側の下部側壁板７を土台６の内側面に固定するようにしてもよい。この場合、下部側壁板７には、大引き１２を逃げるための切欠きが形成される。
【００１０】
前記内外側の下部側壁板７及び根太１３に貫通孔１５が形成され、これら貫通孔１５にガス管・水道管等の管１６が通されている。
【００１１】
【発明の実施の形態の施工順序】
次に発明の実施の形態の施工順序を説明する。
まず、基礎４を施工した後、基礎４に土台６を固定し、この土台６に柱、桁等を固定して、外壁骨格体を構成する。
その後、外壁骨格体の相互に隣接する柱の下部の所定位置に、土台６と平行又はほぼ平行となるようにして連結材８を固定する。
その後、下部側壁板７を土台６及び連結材８の下部に固定する。
その後、大引き１２、根太１３を施工した後、設計図に基づいて所定位置に貫通孔１５を形成し、貫通孔１５に管１６を通す。この管１６の配管作業の際、上部側壁板９は未だ施工されていないので、配管作業員は基礎４を跨いで自由に移動出来、その結果、配管作業（配管工事）を楽に且つ効率よく行なうことが出来る。
そして、管１６の配管が完了した後、上部側壁板９、床下地材１４が施工される。その後は、云うまでもないが従来通りである。
【００１２】
【変形例等】
以下に変形例等について説明を加える。
（１）土台６、下部側壁板７、連結材８、上部側壁板９等の材質は一般的には木質系のものであるが、それに限定されるものではない。下部側壁板７の左右長さは任意である。
（２）実施の形態では下部側壁板７を横切って管１６を通す例で説明したが、管１６に代えて電線・電話線を通す場合もある。
（３）連結材８は、土台６と平行な長尺材であっても、所定長さの短片を所定間隔で配したものであってもよい。連結材８を土台６に立設・固定された相互に隣接する柱（図示略）に固定した場合、土台６、柱、連結材８、下部側壁板７、上部側壁板９を一体化することが出来、側壁２の強度を高めることが出来る。
【００１３】
【発明の効果】
本発明は前記した如き構成によって以下の如き効果を奏する。
上部側壁板を固定する前に基礎を跨いで行なう工事（例えば、配管工事）を行なうことが出来、その結果、基礎を跨いで行なう工事を楽に且つ効率よく行なうことが出来る。他方、下部側壁板が土台に固定されると共に下部側壁板と上部側壁板とが連結材に固定されていて一枚板状となされているので、建物の側壁強度を高めることが出来る。
【図面の簡単な説明】
【図１】本発明の実施の形態を示す縦断面図である。
【図２】図１のＩＩ−ＩＩ線に沿う一部破砕の断面図である。
【符号の説明】
４  基礎
６  土台
７  下部側壁板
８  連結材
９  上部側壁板
【図１】
0003943211.tif 000002
【図２】
0003943211.tif 000003